(57)【要約】【目的】本発明の目的はトレーニングの際に手技の正確性を追求するできると共にその教育の成果を知ることが出来る様な生体シミュレータを提供。【構成】生体シミュレータにおいて、粘膜に相当する部分を合成樹脂層と剥離剤層とよりなる層構造で少なくとも１層構成したことを特徴とする生体シミュレータである。【選択図】図１
2004209118.tif 000002
【特許請求の範囲】
【請求項１】
生体シミュレータにおいて、粘膜に相当する部分を合成樹脂層と剥離剤層とよりなる層構造で少なくとも１層構成したことを特徴とする生体シミュレータ。
【請求項２】
粘膜に相当する部分が大腸内壁、胃内壁、十二指腸内壁、口腔壁、咽喉壁である請求項１記載の生体シュミレータ。
【請求項３】
粘膜に相当する部分が口腔壁又は／及び咽喉壁である請求項１記載の生体シミュレータ。
【請求項４】
前記合成樹脂層と剥離層とからなる層構造は合成樹脂ゲル層の少なくとも一方の面を剥離層を介して合成樹脂層を積層したものであることを特徴とする請求項１、２又は請求項３記載の生体シミュレータ。
【発明の詳細な説明】
【０００１】
【発明の属する利用分野】
本発明は医療用具等の取扱の熟達度を測る生体シミュレータに関するもので、更に詳しくは粘膜構造を有する生体シミュレータにおいて、大腸内視鏡、胃内視鏡、十二指内視鏡、気道確保用チュープ、咽頭鏡等を練習し、その熟達度を測るための生体シミュレータに関するものである。
【０００２】
【従来の技術】
従来より練習用シミュレータを用いて大腸内視鏡、胃内視鏡、十二指内視鏡、気道確保用チュープ、咽頭鏡等の練習モデルを使用して医療用具の取扱を練習する事はよく行われているところである。しかし、従来の練習用シミュレータは、粘膜部の柔軟性を再現するために合成樹脂の１層だけで作られており粘膜部の再現は不十分であった。また粘膜部に気管内挿管等、医療用具等の取扱を行った場合、技術の未熟差による粘膜の損傷や粘膜に傷を付ける場合があるが、従来のシミュレータではこのような医療用具等の扱いが未熟な場合の粘膜部のすれた跡、あるいは粘膜のスライド感触の再現する機能が不十分であった為、術者が行った手技の事後検証が出来なかったり、或いはトレーニングの際に手技の正確性を追求する教育も出来なかった。又粘膜の柔軟性やスライド感触が再現されていなかった為、従来のシミュレータでは臨場感が少なく術者の緊張感を最大限引き出したシミュレーション実習が出来なかった。
【０００３】
【発明が解決しようとする課題】
そこで、本発明者は従来のシミュレータより臨場感を感じさせて術者の緊張感を最大限引き出させると共に、トレーニングの際に手技の正確性を追求する教育を出来る様な生体シミュレータを提供すべく種々検討した結果、本発明を完成したもので、本発明の目的はトレーニングの際に手技の正確性を追求するできると共にその教育の成果を知ることが出来る様な生体シミュレータを提供することである。
【０００４】
【課題を解決するための手段】
本発明の要旨は、生体シミュレータにおいて、粘膜に相当する部分を合成樹脂層と剥離剤層とよりなる層構造で少なくとも１層構成したことを特徴とする生体シミュレータである。
そして、前記合成樹脂層と剥離層とからなる層構造は合成樹脂ゲル層の少なくとも一方の面を剥離剤層を介して合成樹脂層を積層したものであることが好ましい。
即ち、本発明では生体シミュレータの粘膜に相当する部分を合成樹脂層と剥離剤層とからなる層構造としたことによって、粘膜のような柔軟性を有し、例えば大腸内視鏡、胃内視鏡、十二指内視鏡、気道確保用チュープ、咽頭鏡等などの医療用具が挿入される際の粘膜のスライド感触を習得することができると共に医療用具により粘膜の損傷の跡を検証することによってその手技の習得度を知ることが出来る。
即ち、人体の粘膜構造部の柔軟性を合成樹脂と剥離剤により再現し、更に表面には挿管チューブ等の医療用具の取扱による傷跡が残るよう表面処理を施した粘膜部分の生体シミュレータである。
【０００５】
【発明の実施の態様】
本発明について詳細に述べる。
本発明の生体シミュレータとしては特に限定をうるものではないが、高研社製気道管理モデル咽頭部交換型シミュレータ、レールダル社製気道管理トレーナーやアンブ社製気管挿管練習モデルに適用することができる。また、例えば高研社気道管理モデル咽頭部交換型シミュレータに適用した場合、即ち、コーケン気道管理モデルの喉頭部分と、その周りの粘膜に取り付けた場合、喉頭展開時や気管挿管チューブ挿入時に術者が行った手技によって、粘膜上にチューブ挿入による損傷の有無によって事後検証を可能にすることができ、手技の正確性を追求する教育を可能にすることができる。
又粘膜の柔軟性やスライド感触を再現することにより、従来のシミュレータでは再現できなかった臨場感が再現でき術者の緊張感を最大限引き出したシミュレーション実習ができるモデルにすることができる。又、喉頭部分とその周りの粘膜部を交換式にし、個人がその部品を持つことにより自分の手技の事後検証が可能になる。
【０００６】
本発明において粘膜構造部を構成する合成樹脂としては、柔軟性を有し、粘膜の柔軟性やスライド感触が再現される様なものであって、例えば合成樹脂ゲル層の少なくとも一方の面に剥離剤を介して合成樹脂層を設けることが好ましく、或いは合成樹脂ゲル層を中心としてその両側に剥離層を介して合成樹脂層を設けたものが好ましい。合成樹脂ゲル層の材質としてはシリコーン系、塩化ビニール系或いはウレタン系の何れでもよく、その厚さは３ｍｍ程度であって、５ｍｍ以上では弾力性が出過ぎ、また、２ｍｍは以下では弾力性はほとんどなくなる。この合成樹脂ゲルの少なくとも一方の面に剥離剤層を介して合成樹脂層層を設ける。剥離剤層のとしてはフッ素系、シリコーン系塩化ビニル系或いはウレタン系の剥離剤であって、剥離剤を介することによって表面のスライド性等の作用を示す。剥離層の上に設ける合成樹脂層の材質としてはシリコーン系、塩化ビニール系或いはウレタン系の何れでもよく、その厚さは０．４ｍｍ程度であって、０．４ｍｍ以上ではゲル層の弾力性をうち消してしまい、又、０．１ｍ以下では層の強度が無くなってしまう。
又、本発明にかかる生体シミュレータに於いて粘膜構造を構成する合成樹脂層の一方の面に剥離剤層を介して合成樹脂表面処理剤層を設けることによって器具などの取り扱いによる軌跡を残し、手法の正確さを追求することができる等の効果を奏するので好ましい。合成樹脂表面処理剤としてはシリーコーン系、塩化ビニル系、或いはウレタン系処理剤を使用することが好ましい。
【０００７】
本発明にかかる生体シミュレータの粘膜構造部分の一例を図１に示す。図１に於いて合成樹脂ゲル層１の両サイドに剥離剤層２を積層しその上に合成樹脂層３を設けたものであり、更に、その一方に剥離剤層２を介して合成樹脂表面処理剤層４を設ける。
このような粘膜構造の合成樹脂表面処理剤層４が表面になるように例えば気道管理モデルの喉頭部を構成する。
【０００８】
【実施例】
以下、本発明を実施例をもって具体的に説明する。
実施例１
本発明にかかる生体シュミレータ次の手順で製造した。
１．合成樹脂製の内側を専用型を使用しシリコーンラバーによって作成する。メス型となっている専用型を使用しシリコーンラバー原料を流し込み、それを均一に広げた後に架橋させ皮を作成する。
２．１で作成した皮の外面部にフッ素樹脂の剥離層をコーティングして中間層とする。
３．別途、シリコーンラバーにより一番外側の皮膜を作成する。
４．３で作成した最外層の皮膜内面にフッ素樹脂を塗りつけ、剥離層を作成する。
５．４で作成された皮膜の中に、２で作成した中間層をセットし、皮膜、中間層の間に出来た空間にシリコーンゲルを注入し、ゲル層を作成する。
６．５で作成された皮膜、ゲル層、中間層が一体となった円筒状構造物の内面に、フッ素樹脂を塗りつけ、剥離層を作成する。
更にこの剥離層を形成した円筒物内面に、シリコーンラバーとシリコーンゲルの混合物を塗りつけ、最内面に器具等の取扱の軌跡を残すための合成樹脂表面処理剤層を設ける。
【０００９】
【発明の効果】
以上述べたように、本発明は人体の粘膜構造部を合成樹脂層と剥離剤層とよりなる層構造で少なくとも１層構成したことにより、粘膜の柔軟性やスライド感触を再現することができ、その結果、従来のシミュレータでは再現できなかった臨場感や術者の緊張感を最大限に引き出せ、且つ医療用具の取扱による粘膜の損傷の跡を検証することによって術者が行った手技の正確性を追求することができる等の効果を奏する。
【図面の簡単な説明】
【図１】本発明にかかる人体シミュレーションの粘膜構造の断面図。
【符号の説明】
１  合成樹脂ゲル層      ２  合成樹脂層      ３  剥離剤層
４  合成樹脂表面処理剤層
【図１】
2004209118.tif 000003